(57)【要約】【課題】作業者には面倒な作業を強いることなしに、バンドの余剰部をコンパクトに収納することのできる、長尺部材の保持具を提供する。【解決手段】長尺部材の保持具１はバンド３とバンドが長尺部材の外面を巻回した状態に保持するロック部９とを有し、ロック部９は、長尺部材を巻回したバンドの先端側の余剰部を、長尺部材の外面の巻回バンド部分に向けて折返すバンド格納経路２１を形成する形状に形成され、更に、ロック部９の出口部分に隣接して、ロック部から出るバンドの余剰部の先端部分を巻回バンド部分に向けて折返す空洞を有するホルダー２９が設けられ、ホルダーは、バンドの余剰部の先端部分を巻回バンド部分に折返した状態に保持する。【選択図】図２
2009250258.tif 000002
【特許請求の範囲】
【請求項１】
ワイヤハーネス等の長尺部材を巻回するバンドと該バンドが前記長尺部材の外面を巻回した状態に保持するロック部とを有する長尺部材の保持具であって、
前記ロック部は、長尺部材を巻回したバンドの先端側の余剰部を、該長尺部材の外面の前記巻回バンド部分に向けて折返すバンド格納経路を形成する形状に形成され、
更に、前記ロック部の出口部分に隣接して、該ロック部から出る前記バンドの余剰部の先端部分を前記巻回バンド部分に向けて折返す空洞を有するホルダーが設けられ、該ホルダーは、前記バンドの余剰部の先端部分を前記巻回バンド部分に折返した状態に保持する構成である、
ことを特徴とする保持具。
【請求項２】
請求項１に記載の保持具において、前記長尺部材を支持する基部が形成され、前記バンドが前記基部の一方の側部から延び出るように形成され、前記ロック部は前記基部の他方の側部に固着されており、前記基部は、前記一方の側部から前記他方の側部の間の上面が前記長尺部材を保持する保持部として形成されている、ことを特徴とする保持具。
【請求項３】
請求項２に記載の保持具において、前記基部は、前記保持部が上面が開放した部分円筒形状に湾曲した形状に形成されて長尺部材としてのワイヤハーネスを保持する形状に形成されている、ことを特徴とする保持具。
【請求項４】
請求項２又は３に記載の保持具において、前記ロック部には、前記バンド格納経路の入口部分に前記バンドの係止部に係止するロック爪が形成されており、前記バンドには、前記ロック部の前記ロック爪に係合する面に長手方向に間隔をおいて多数の係止凹部又はラチェット爪が前記係止部として形成されており、前記バンドは、前記基部の前記保持部に載置された前記長尺部材を前記基部の前記一方の側部から巻回して、更に、前記ロック部に挿入されると前記ロック爪によって前記バンドの巻回状態がロックされる、ことを特徴とする保持具。
【請求項５】
請求項３又は４に記載の保持具において、前記ロック爪と前記係止部との係合によって前記バンドの前記余剰部が前記ロック部の前記バンド格納経路を通って前記巻回バンド部分に折返した状態に保持され、更に、該ロック部から出る前記バンドの余剰部の先端部分が前記ホルダーを通って前記巻回バンド部分に折返した状態に保持される、ことを特徴とする保持具。
【請求項６】
請求項１〜５のいずれか１項に記載の保持具において、前記ロック部の前記バンド格納経路は、前記ロック部の一方の壁部と、該壁部の底部から直交する方向に延びる底壁と、バンドを折返す経路を形成する他方の側壁と、前記一方の壁部と前記他方の側壁との間に配置されてほぼＵ字形状のバンド折返し経路を形成する中間壁部とから形成されている、ことを特徴とする保持具。
【請求項７】
請求項６に記載の保持具において、前記ロック部は、前記バンドの挿入において前記バンド格納経路の一方の横方向の側面が、バンドの挿入を目視でき且つバンドのロックの解除やバンドが詰まった場合の処理が可能にするように開放して形成される、ことを特徴とする保持具。
【請求項８】
請求項２に記載の保持具において、前記基部には、前記保持部の下方側に、パネル等の被取付部材に取付けられるクリップが形成されている、ことを特徴とする保持具。
【発明の詳細な説明】
【技術分野】
【０００１】
本発明は、ワイヤハーネス等の長尺部材を巻回するバンドとバンドが長尺部材の外面を巻回した状態に保持するロック部とを有する長尺部材の保持具に関する。
【背景技術】
【０００２】
複数の電線等の長尺部材を結束して巻回するバンドとバンドが長尺部材の外面を巻回した状態に保持するロック部とを有する長尺部材の保持具は、例えば、特許文献１に記載されている。特許文献１には、長尺部材を結束して巻回したバンドの先端側の余剰部を、ロック部を通して通過した後に再度ロック部に逆方向に挿入してバンドの巻回部分に折返す構造が記載されている。特許文献１には、バンドの余剰部がコンパクトに収容されて、スペース効率が向上する、と記載されている。
【０００３】
【特許文献１】実願平４−１１４７１３号公報（実用新案登録第2531842号）
【特許文献２】特開平９−０９３７６２号公報
【特許文献３】特開２００４−０９９０６３号公報
【発明の開示】
【発明が解決しようとする課題】
【０００４】
特許文献１の保持具において、バンドの余剰部がバンドの巻回部分に折返すことのできる構造であるので、バンドの余剰部を切断しなくても、その余剰部が邪魔にならないようにできる利点がある。特許文献１のバンドの余剰部の折返し操作は、作業者が、ロック部から出た余剰部をもって１８０度折曲げた後、再度ロック部の出口側から逆方向に挿入せねばならない。従って、作業者には、バンドの余剰部の１８０度の折曲げと、その折曲げ状態でロック部への挿入作業とを強いることになり、その作業が面倒である。特に、その作業が狭いスペースで行わねばならない場合には、一定の熟練を必要とする。
【０００５】
特許文献２には、バンドの中間部分に、もう１つのロック部を形成して、バンドの余剰部を収納する、長尺部材の保持具が記載されている。この保持具は、バンドを１８０度折曲げる手間がないので、作業は特許文献１の保持具より容易である利点がある。しかし、バンドの中間部分にもう１つのロック部を形成する必要があり、バンドの形状が単純な形状ではなく、コストが高くなり、また、取扱いの最中にそのロック部が邪魔になるおそれがある。
【０００６】
特許文献３に記載のバンド式保持具は、バンドの一端にロック部を設け、バンドの他端をそのロック部に通すことで長尺部材を巻回する構成である。バンド部の余剰部は、特許文献１と同様に、作業者が、ロック部から出た余剰部をもって１８０度折曲げた後、再度ロック部の出口側から逆方向に挿入せねばならない。そのため、特許文献１の保持具と同様に、作業者には、バンドの余剰部の１８０度の折曲げと、その折曲げ状態でロック部への挿入作業とを強いることになる。
【０００７】
従って、本発明の目的は、作業者には面倒な作業を強いることなしに、バンドの余剰部をコンパクトに収納することのできる、長尺部材の保持具を提供することにある。
【課題を解決するための手段】
【０００８】
かかる目的を達成するため、本発明によれば、ワイヤハーネス等の長尺部材を巻回するバンドと該バンドが前記長尺部材の外面を巻回した状態に保持するロック部とを有する長尺部材の保持具であって、前記ロック部は、長尺部材を巻回したバンドの先端側の余剰部を、該長尺部材の外面の前記巻回バンド部分に向けて折返すバンド格納経路を形成する形状に形成され、更に、前記ロック部の出口部分に隣接して、該ロック部から出る前記バンドの余剰部の先端部分を前記巻回バンド部分に向けて折返す空洞を有するホルダーが設けられ、該ホルダーは、前記バンドの余剰部の先端部分を前記巻回バンド部分に折返した状態に保持する構成である、ことを特徴とする保持具が提供される。
【０００９】
上記保持具によって、ロック部へバンドの先端側の部分を挿入するだけで、バンドの余剰部はバンド巻回部分側へ折返され、更に、折返された余剰部は、ホルダーへの挿入によって折返された状態に保持される。従って、作業者には面倒な作業を強いることなしに、バンドの余剰部を、切断することなしに、コンパクトに収納することができる。
【００１０】
上記保持具において、長尺部材を支持する基部が形成され、バンドが基部の一方の側部から延び出るように形成され、ロック部は基部の他方の側部に固着され、基部は、一方の側部から他方の側部の間の上面が長尺部材を保持する保持部として形成されている。基部は、保持部が上面が開放した部分円筒形状に湾曲した形状に形成されて長尺部材としてのワイヤハーネスを保持する形状に形成されている。ロック部には、バンド格納経路の入口部分にバンドの係止部に係止するロック爪が形成されており、バンドには、ロック部のロック爪に係合する面に長手方向に間隔をおいて多数の係止凹部又はラチェット爪が係止部として形成されており、バンドは、基部の保持部に載置された長尺部材を基部の一方の側部から巻回して、更に、ロック部に挿入されるとロック爪によってバンドの巻回状態がロックされる。ロック爪と係止部との係合によってバンドの余剰部がロック部のバンド格納経路を通って巻回バンド部分に折返した状態に保持され、更に、ロック部から出るバンドの余剰部の先端部分がホルダーを通って巻回バンド部分に折返した状態に保持される。
【００１１】
上記保持具において、ロック部のバンド格納経路は、ロック部の一方の壁部と、壁部の底部から直交する方向に延びる底壁と、バンドを折返す経路を形成する他方の側壁と、一方の壁部と他方の側壁との間に配置されてほぼＵ字形状のバンド折返し経路を形成する中間壁部とから形成されている。ロック部は、バンドの挿入においてバンド格納経路の一方の横方向の側面が、バンドの挿入を目視でき且つバンドのロックの解除やバンドが詰まった場合の処理が可能にするように開放して形成される。基部には、保持部の下方側に、パネル等の被取付部材に取付けられるクリップが形成されている。
【発明を実施するための最良の形態】
【００１２】
以下、本発明の実施形態について図面を参照しながら説明する。図１〜図８には、本発明の１実施形態に係るワイヤハーネス等の長尺部材の保持具１の構成が示されている。図９〜図１４には、保持具１にワイヤハーネス２がバンド３によって保持されて、保持具１によって、被取付部材であるパネル５に、長尺部材としてのワイヤハーネス２が取付けられる手順が示されており、保持具１のバンド３の余剰部を、面倒な手間を必要とすることなく、切断せずにコンパクトに格納する様子が示されている。
【００１３】
図１〜図８を参照して、長尺部材の保持具１の構成を説明する。図示の実施形態において、保持具１はプラスチックの一体成形品で成る。保持具１は、ワイヤハーネス２等の長尺部材をパネル５等の被取付部材に取付けるため、ワイヤハーネス３を保持する台となる基部６と、保持具１をパネル５等の被取付部材への取付部となる、基部６の下方に延びるクリップ７と、ワイヤハーネス２等の長尺部材の外周面を巻回して基部６へ保持するように基部６の上面の一方の側部から細長く延びるバンド３と、基部６の上面側のバンド３と反対側の側部に形成され、バンド３を巻回した状態に保つロック部９とを有する。
【００１４】
クリップ７は、軸部１０と軸部１０の下端から基部６の側に錨脚形状に延びる一対の係止爪１１とから成り、パネル５等の被取付部材の取付穴に挿入することによって保持具１が被取付部材に取付けられる。基部６の下面側には、吸盤形状のフランジ１３が形成されて、基部６がクリップ７によって安定してパネル５に取付けるのを助けるとともに、パネル５の取付穴を密封するのを可能にする。クリップ７の各係止爪１１の先端側には多段の係止段部が形成され、基部６のフランジ１３と協働して、厚さの異なるパネルに対して、パネルの厚さが違っても取付けられるのを可能にする。
【００１５】
なお、図示の実施形態の保持具１では、パネル５等の被取付部材への取付部は、錨脚形状のクリップ７に形成されているが、これに限るものではない。例えば、クリップ７に代えて、パネル５に立設されたスタッド（ねじスタッドや周溝スタッド、あるいはＴスタッド等）に係合するスタッド係止手段で構成してもよい。更に、本発明に係るワイヤハーネス等の保持具には、被取付部材への取付部は必須のものではない。例えば、クリップ７を無くして、バンド３とロック部９（及びホルダー２９）と（及び基部６）から保持具を構成してもよい。
【００１６】
バンド３には、ロック部９のロック爪１９に係合する面（第１面）に、係止部としての係止凹部１４が、バンド３の長手方向に一定の間隔（ピッチ）をもって多数形成されている。この係止凹部１４は図７に明瞭に示されている。なお、係止部としての係止凹部１４は、公知のバンドと同様に、係止凹部に代えてラチェット爪の形状で形成されてもよい。バンド３の先端には、ロック部９の挿通穴に通して指等で保持するリーダ部１５が形成されている。また、基部６の上面には、ワイヤハーネス２を安定して保持するように、部分円筒形状に湾曲して上方が開放した剛性の保持部１７が形成されている。保持部１７は、基部６の上面においてバンド３と対向する側の側縁から基部６の上面に立ち上がる剛性の壁部１８を有し、壁部１８の外側に、ロック部９が形成されている。ロック部９は、保持部１７の剛性の壁部に連結されるので、高い剛性で基部６に連結される。
【００１７】
ロック部９の詳細は、図４のＡ−Ａ線に沿った断面図である図６に最もよく示されている。また、図２もロック部９を詳細に示している。ロック部９について、図６及び図２の外に、図１、図３〜図５及び図７〜図８も参照して説明する。ロック部９は、基部６の上面側のバンド３に対向する側の壁部が、保持部１７の剛性の壁部１８の一部を共通にして形成されている。ロック部９は、バンド３を巻回した状態に保つとともに、ワイヤハーネスを巻回して保持した後のバンド３の余剰部を切断することなくコンパクトに格納する。ロック部９の形状は、壁部１８に沿って挿入されるバンド３の部分を入口部分でロック爪１９に係止させながらリーダ部１５をワイヤハーネス側に折返し、折返したバンド３の部分を更にワイヤハーネス側のバンド３に折返した方向に保持する、バンド格納経路２１を形成する形状にされている。
【００１８】
図示の実施形態において、バンド格納経路２１は、壁部１８と、壁部１８の底部から直交する方向に延びる底壁２２と、バンドを折返す経路を形成する側壁２３と、壁部１８と側壁２３との間に配置されてほぼＵ字形状のバンド折返し経路を形成する中間壁部２５とから形成されている。そして、バンド格納経路２１は、バンド３の挿入において横方向にずれないように規制する横壁部２６によって囲まれる。この横壁部２６は、図示の実施形態においては、図２、図７及び図８に示すように、裏面側にだけ形成されて、正面側には形成されていない。これによって、型成形を可能にするだけでなく、バンド格納経路２１が正面側の側縁部分において大きく開放され、作業者は、バンドの挿入を目視でき、バンドのロックの解除やバンドが詰まった場合の処理が可能になる。バンド格納経路２１の正面側の側縁が全て開放するとバンドが経路から外れるおそれがあるので、ロック部９のバンドの入口部分には規制壁部２７が形成されている。
【００１９】
更に、ロック部９には、バンド格納経路２１の出口部分に隣接して、ホルダー２９が設けられている。ホルダー２９は、ロック部９に一体的に形成されて、バンド格納経路２１が連続する位置と形状に形成されている。詳細には、バンド格納経路２１を通り抜けたバンド３の先端側の余剰部すなわちリーダ部１５がロック部９の中間壁部２５の上方の出口を出た後、ホルダー２９に入ることができるように、ホルダー２９には、中央にバンド３の余剰部を通すバンド経路（空洞）が形成されている。ホルダー２９は、ロック部９の側壁２３と中間壁部２５とによって折返すように進められたバンド３のリーダ部１５をバンド経路に挿入させて、バンド３の余剰部を更にワイヤハーネス側のバンド３に折返した方向に保持する。ホルダー２９は、中央のバンド経路用の空洞以外の部分において、前記の横壁部２７と反対側（すなわち正面側）のバンド側縁は閉じており、他の側（裏面側）は開放している。これによって、バンド格納経路２１の正面側の側縁は、バンド３のリーダ部１５においても正面側が規制されて、バンドが経路から外れるのを防止する。
【００２０】
ロック部９には、バンド３が挿入される入口近くの中間壁部２５において、バンド挿通方向に斜めに延びて弾性を有するロック爪１９が設けられている。ロック爪１９は、逆止形状に形成され、バンド３の第１面に形成された係止凹部１４に弾性係合し、バンド３の挿通は容易であるがバンド３の引抜きには抵抗する。ロック爪１９は、弾性を有するように形成され、ロック部９の正面側の開放部分（図２参照）から、例えば、スクリュードライバ等の工具先端で係止解除方向に撓めることができる。これによって、ロック爪１９を係止凹部１４から離して、バンド３がワイヤハーネス２を巻回した状態を解除でき、バンドのロックの解除やバンドが詰まった場合の処理が可能になる。
【００２１】
保持部１７の壁部１８の外面と中間壁部２５の間に形成するバンド格納経路２１の間隔と、中間壁部２５の下端と底壁２２の間に形成するバンド格納経路２１の間隔と、中間壁部と側壁２３との間に形成するバンド格納経路２１の間隔とは、ロック部９のＵ字形状のバンド格納経路２１（図２及び図６参照）に沿って、バンド３のリーダ部１５が滑らかに進められる間隔（バンド３が１８０度の方向に撓められるのを阻害しない間隔）に選定される。また、中間壁部２５の下端には、ロック爪１９が撓む空間を保ちつつ、バンドの挿入を滑かにする湾曲面３０が形成されている。
【００２２】
ホルダー２９は、ロック部９の中間壁部２５と側壁２３との間のバンド格納経路２１の出口から出たバンド３の余剰部（リーダ部１５）を、受入れることができるバンド経路を形成しており、更に、受入れたバンド余剰部を、ワイヤハーネスを巻回するバンドに向けて出力できるバンド経路を形成している。詳細には、ホルダー２９は、中間壁部２５の上端の上方にバンド経路を形成する上壁部３１を備えている。従って、バンド格納経路２１は、バンド３を、図６の破線で示すように、ロック部９においてＵ字形状に折返して案内し、更に、ホルダー２９を通して、ワイヤハーネスを固く巻回した保持具１のバンド３の余剰部を切断することなくコンパクトに格納する。
【００２３】
図９〜図１４を参照して、保持具１を用いて、長尺部材であるワイヤハーネス２を、被取付部材であるパネル５に保持する操作と、ワイヤハーネスを巻回したバンド３の余剰部を切断することなくコンパクトに格納する操作を説明する。図９において、保持具１は、パネル５の取付穴にクリップ７が挿入されてパネル５に取付けられている。なお、図示の場合には、保持具１はワイヤハーネス２を保持する前にパネル５に取付けられているが、ワイヤハーネスを保持した後にパネル５に取付けてもよい。いずれの場合にも、フランジ１３がパネル５に接面するので、保持具１の取付けを安定させるとともに、パネル５の取付穴のシールを行う。図９において、保持具１の基部６の保持部１７にはワイヤハーネス２が載せられる。
【００２４】
図１０において、作業者は、バンド３のリーダ部１５を、ロック部９のバンド格納経路２１の入口部に挿入する位置に案内する（矢印３３）。図１１において、リーダ部１５がロック部９のバンド格納経路２１の入口部に挿入されたバンド３の本体部分（ワイヤハーネスの上方部分のバンド３の部分）を、作業者は矢印３４のように押込む。この押込みによって、リーダ部１５が、ロック部９のバンド格納経路２１の入口部から挿入されて、バンド格納経路２１のＵ字形状に沿ってバンド格納経路２１を進む。中間壁部２５の下端の湾曲部３０は、バンド３の押込みによる進行を妨げることなく滑らかに案内する。また、ロック爪１９は、バンド３の第１面にある係止凹部１４に係止する。ロック爪１９は、逆止形状に形成され、バンド３の係止凹部１４に弾性係合し、挿通は容易であるが引抜きには抵抗する。従って、ロック爪１９も、バンド３の押込みによる進行を妨げることなく滑らかに案内する。これによって、バンド３のロック爪１９より先端側の余剰部が、ロック部９においてＵ字形状に折返するように（１８０度転回するように）案内される。
【００２５】
図１１及び図１２において、バンド３のリーダ部１５は、ロック部９でＵ字形状に折返された後、バンド格納経路２１の出口部から一旦外側に出て行く。作業者は、出て行く余剰部を、図１２の矢印３５に図示のように指等によって引っ張り出す。この引っ張り出しによって、ワイヤハーネス２は、バンド３によって固く巻回されて、基部６の保持部１７に固く固定される。ロック爪１９が係止凹部１４に係止するので、ワイヤハーネス２はバンド３による固い巻回が維持される。引っ張り出した外側に出るバンド３の余剰部をそのまま放置すると、その余剰部が邪魔になり、ワイヤハーネス２の巻回部分の外観が好ましくなくなるだけでなく、ワイヤハーネス２に隣接する他の部品等の取付けに支障を来す場合もある。
【００２６】
図１３に示すように、引っ張り出した外側に出るバンド３の余剰部（リーダ部１５を含む部分）は、ホルダー２９のバンド格納経路の入口に押込まれる（矢印３７）。これによって、リーダ部１５は、ホルダー２９を通って矢印３８のように、ホルダー２９のバンド格納経路の出口から出される。図１４は、その最終状態を示している。すなわち、ロック部９のバンド格納経路２１は、バンド３を、ロック部９においてＵ字形状に折返して案内し、更に、ホルダー２９を通して、ワイヤハーネス２を巻回するバンド３の上方に保持具１のバンド３の余剰部を折返して格納し、これによって、バンド３の余剰部を切断することなくコンパクトに格納する。
【図面の簡単な説明】
【００２７】
【図１】本発明の１実施形態に係る長尺部材の保持具の平面図である。
【図２】図１の保持具の正面図である。
【図３】図２の保持具の底面図である。
【図４】図２の保持具の右側面図である。
【図５】図２の保持具の背面図である。
【図６】図４の保持具のＡ−Ａ線断面図である。
【図７】図２の保持具の背面の一の方向から見た斜視図である。
【図８】図２の保持具の背面の他の方向から見た斜視図である。
【図９】図２の保持具にワイヤハーネスを位置決めした状態の図である。
【図１０】図９の保持具のワイヤハーネスをバンドで巻回するのを開始する図である。
【図１１】図１０の保持具のワイヤハーネスをバンドで巻回する途中の図である。
【図１２】図１１のワイヤハーネスをバンドで強く巻回した状態の図である。
【図１３】図１２のバンドの余剰部をホルダーに挿入する図である。
【図１４】図１３のバンドの余剰部をコンパクトに格納した状態の図である。
【符号の説明】
【００２８】
１  長尺部材の保持具
２  ワイヤハーネス
３  バンド
５  パネル
６  基部
７  クリップ
９  ロック部
１０  軸部
１１  係止爪
１３  フランジ
１４  係止凹部
１５  リーダ部
１７  保持部
１８  壁部
１９  ロック爪
２１  バンド格納経路
２２  底壁
２３  側壁
２５  中間壁部
２６  横壁部
２７  規制壁部
２９  ホルダー
３０  湾曲部
【図１】
2009250258.tif 000003
【図２】
2009250258.tif 000004
【図３】
2009250258.tif 000005
【図４】
2009250258.tif 000006
【図５】
2009250258.tif 000007
【図６】
2009250258.tif 000008
【図７】
2009250258.tif 000009
【図８】
2009250258.tif 000010
【図９】
2009250258.tif 000011
【図１０】
2009250258.tif 000012
【図１１】
2009250258.tif 000013
【図１２】
2009250258.tif 000014
【図１３】
2009250258.tif 000015
【図１４】
2009250258.tif 000016